(57)【要約】      （修正有）【課題】複数の無線装置が形成するセルを、容易に変更することができるフロントホールマルチプレクサを提供する。【解決手段】異なるセルの信号のベースバンド処理をそれぞれが行う複数のベースバンド処理装置１１、１２と、ユーザ端末と無線通信を行う複数の無線装置３ａ〜３ｃとの間の通信を中継するフロントホールマルチプレクサ２であって、複数の無線装置のそれぞれを複数のベースバンド処理装置のいずれか１つに接続するための情報を取得する取得部２４と、取得部２４が取得した情報に基づいて、複数の無線装置のそれぞれを複数のベースバンド処理装置のいずれか１つに接続するスイッチ部２３ａ、２３ｂと、を有する。【選択図】図６
2019029842.tif 000002
【特許請求の範囲】
【請求項１】
異なるセルの信号のベースバンド処理をそれぞれが行う複数のベースバンド処理装置と、ユーザ端末と無線通信を行う複数の無線装置との間の通信を中継するフロントホールマルチプレクサであって、
前記複数の無線装置のそれぞれを前記複数のベースバンド処理装置のいずれか１つに接続するための情報を取得する取得部と、
前記情報に基づいて、前記複数の無線装置のそれぞれを前記複数のベースバンド処理装置のいずれか１つに接続するスイッチ部と、
を有するフロントホールマルチプレクサ。
【請求項２】
前記情報は、前記複数の無線装置と前記複数のベースバンド処理装置との接続を変更する接続変更情報を含み、
前記取得部は、ネットワークを介して前記接続変更情報を取得する、
請求項１に記載のフロントホールマルチプレクサ。
【請求項３】
前記情報は、前記複数の無線装置のそれぞれのトラフィック量の情報を含み、
前記取得部は、前記複数のベースバンド処理装置から、前記トラフィック量の情報を取得する、
請求項１または２に記載のフロントホールマルチプレクサ。
【請求項４】
前記複数の無線装置のそれぞれのトラフィック量を計測するトラフィック量計測部、をさらに備え、
前記情報は、前記トラフィック量計測部により計測されたトラフィック量の情報を含み、
前記取得部は、前記トラフィック量計測部から、前記トラフィック量の情報を取得する、
請求項１乃至３のいずれか一項に記載のフロントホールマルチプレクサ。
【請求項５】
前記複数の無線装置の装置識別情報と、各無線装置が形成するビーム間で異なるように各ビームに割り当てられたビーム識別情報と、が対応付けられたビーム情報を、前記複数のベースバンド処理装置から受信するビーム情報受信部と、
前記複数のベースバンド処理装置から、前記ユーザ端末ごとのトラフィック量と、前記ユーザ端末のビームの前記ビーム識別情報とを受信するトラフィック量受信部と、を備え、
前記トラフィック量計測部は、前記ビーム識別情報に基づいて、前記無線装置ごとに在圏している前記ユーザ端末のトラフィック量を合計し、前記無線装置ごとのトラフィック量を計測する、
請求項４に記載のフロントホールマルチプレクサ。
【請求項６】
前記複数のベースバンド処理装置の故障を検知する故障検知部、をさらに備え、
前記情報は、前記故障検知部により検知された故障の情報を含み、
前記取得部は、前記故障検知部から、前記故障の情報を取得する、
請求項１乃至５のいずれか一項に記載のフロントホールマルチプレクサ。
【請求項７】
前記ベースバンド処理装置から送信された下り信号を複製して、前記ベースバンド処理装置に接続された前記無線装置のそれぞれに出力する複製部と、
前記無線装置のそれぞれから送信された上り信号を合成して、前記ベースバンド処理装置に出力する合成部と、
をさらに有する請求項１乃至６のいずれか一項に記載のフロントホールマルチプレクサ。
【請求項８】
フロントホールマルチプレクサと、
ユーザ端末と無線通信を行う複数の無線装置と、前記フロントホールマルチプレクサを介して通信を行う複数のベースバンド処理装置と、
を有する無線通信システムであって、
前記フロントホールマルチプレクサは、
前記複数の無線装置のそれぞれを前記複数のベースバンド処理装置のいずれか１つに接続するための情報を取得する取得部と、
前記情報に基づいて、前記複数の無線装置と前記複数のベースバンド処理装置とを接続するスイッチ部と、を有し、
前記複数のベースバンド処理装置のそれぞれは、
前記複数の無線装置の装置識別情報と、各無線装置が形成するビーム間で異なるように各ビームに割り当てられたビーム識別情報と、が対応付けられたビーム情報を記憶する記憶部と、
前記ビーム情報を、前記フロントホールマルチプレクサを介して前記複数の無線装置に送信するビーム情報送信部と、
前記複数の無線装置が前記ユーザ端末から受信した、通信品質の最も良いビームに割り当てられた前記ビーム識別情報を、前記フロントホールマルチプレクサを介して前記複数の無線装置から受信する受信部と、
前記ユーザ端末から受信した前記ビーム識別情報と、前記記憶部に記憶されている前記ビーム情報とから、前記無線装置ごとに在圏している前記ユーザ端末のトラフィック量を合計し、前記無線装置ごとのトラフィック量を計測する計測部と、
前記トラフィック量の情報を、前記フロントホールマルチプレクサに送信するトラフィック量送信部と、
を有する無線通信システム。
【発明の詳細な説明】
【技術分野】
【０００１】
本発明は、フロントホールマルチプレクサおよび無線通信システムに関する。
【背景技術】
【０００２】
無線ネットワークシステムでは、より快適で安定した高速通信を可能するＣ−ＲＡＮ（Centralized Radio Access Network）が開発された。Ｃ−ＲＡＮでは無線基地局を、ユーザ端末と無線通信を行う無線装置と、この無線装置を制御する信号処理装置とに分離し、信号処理装置にベースバンド信号処理等の機能を集約させる（例えば、特許文献１，２を参照）。
【０００３】
また、Ｃ−ＲＡＮを発展させた高度化Ｃ−ＲＡＮも開発された。高度化Ｃ−ＲＡＮでは、マクロセルで広域のサービスエリアを構築するとともに、スモールセルで狭域のサービスエリアを構築する。そして、高度化Ｃ−ＲＡＮでは、スモールセルのエリア内において、マクロセルとは別のＣＣ（Component Carrier）を提供し、マクロセルのＣＣと、スモールセルのＣＣとのＣＡ（Carrier Aggregation）により、広帯域化を実現する。
【０００４】
１台の信号処理装置に、より多くの無線装置を収容するため、フロントホール回線を多重するフロントホールマルチプレクサ（ＦＨＭ：FrontHaul Multiplexer）も開発された（例えば、非特許文献１を参照）。ＦＨＭは、信号処理装置と複数の無線装置との間に接続され、例えば、下り信号をセル単位でコピーし、複数の無線装置に分配する。また、ＦＨＭは、例えば、複数の無線装置からの上り信号を合成し、信号処理装置に送信する。
【先行技術文献】
【特許文献】
【０００５】
【特許文献１】特開２０１７−３８１８７号公報
【特許文献２】特表２０１６−５１０５８７号公報
【非特許文献】
【０００６】
【非特許文献１】藤井、諏訪、鳥羽、戸枝「３．５ＧＨｚ帯ＴＤ−ＬＴＥ導入に向けた基地局装置の開発」ＮＴＴ  ＤＯＣＯＭＯ  テクニカルジャーナル，Ｊｕｌ．２０１６，ｖｏｌ．２４  Ｎｏ．２  ｐｐ．８−１３
【発明の概要】
【発明が解決しようとする課題】
【０００７】
ＦＨＭを用いて無線ネットワークシステムを構築するとき、計画時における各セルのトラフィック量と、実際に無線ネットワークシステムを構築したときの各セルのトラフィック量とが異なる場合がある。このような場合、例えば、セルを形成する無線装置の数を変更することによってセルの大きさを変更し、実際のトラフィック量に対応した、適切な無線ネットワークシステムを提供することができる。
【０００８】
例えば、トラフィック量の多いセルでは、そのセルを形成する無線装置を減らしてセルを小さくし、そのセルのトラフィック量（そのセルの信号をベースバンド処理するベースバンド処理装置のトラフィック量）を小さくする。これにより、無線ネットワークシステムは、実際のトラフィック量に適した無線通信サービスを提供することができる。
【０００９】
しかし、複数の無線装置が形成するセルを変更するには、信号処理装置、ＦＨＭ、および無線装置間の接続関係を変更する必要があり、接続関係を変更するには、信号処理装置、ＦＨＭ、および無線装置間の配線を挿抜する作業が必要となって、手間がかかる。
【００１０】
本発明は、複数の無線装置が形成するセルを、容易に変更できる技術を提供することを目的とする。
【課題を解決するための手段】
【００１１】
本発明のフロントホールマルチプレクサは、異なるセルの信号のベースバンド処理をそれぞれが行う複数のベースバンド処理装置と、ユーザ端末と無線通信を行う複数の無線装置との間の通信を中継するフロントホールマルチプレクサであって、前記複数の無線装置のそれぞれを前記複数のベースバンド処理装置のいずれか１つに接続するための情報を取得する取得部と、前記情報に基づいて、前記複数の無線装置のそれぞれを前記複数のベースバンド処理装置のいずれか１つに接続するスイッチ部と、を有する。
【００１２】
また、本発明の無線通信システムは、フロントホールマルチプレクサと、ユーザ端末と無線通信を行う複数の無線装置と、前記フロントホールマルチプレクサを介して通信を行う複数のベースバンド処理装置と、を有する無線通信システムであって、前記フロントホールマルチプレクサは、前記複数の無線装置のそれぞれを前記複数のベースバンド処理装置のいずれか１つに接続するための情報を取得する取得部と、前記情報に基づいて、前記複数の無線装置と前記複数のベースバンド処理装置とを接続するスイッチ部と、を有し、前記複数のベースバンド処理装置のそれぞれは、前記複数の無線装置の装置識別情報と、各無線装置が形成するビーム間で異なるように各ビームに割り当てられたビーム識別情報と、が対応付けられたビーム情報を記憶する記憶部と、前記ビーム情報を、前記フロントホールマルチプレクサを介して前記複数の無線装置に送信するビーム情報送信部と、前記複数の無線装置が前記ユーザ端末から受信した、通信品質の最も良いビームに割り当てられた前記ビーム識別情報を、前記フロントホールマルチプレクサを介して前記複数の無線装置から受信する受信部と、前記ユーザ端末から受信した前記ビーム識別情報と、前記記憶部に記憶されている前記ビーム情報とから、前記無線装置ごとに在圏している前記ユーザ端末のトラフィック量を合計し、前記無線装置ごとのトラフィック量を計測する計測部と、前記トラフィック量の情報を、前記フロントホールマルチプレクサに送信するトラフィック量送信部と、を有する。
【発明の効果】
【００１３】
本発明によれば、複数の無線装置が形成するセルを、容易に変更することができる。
【図面の簡単な説明】
【００１４】
【図１】実施の形態１に係る無線基地局の構成例を示した図である。
【図２】セルのトラフィック量の例を説明する図のその１である。
【図３】セルのトラフィック量の例を説明する図のその２である。
【図４】計画時のトラフィック量に基づいて、ＦＨＭのスイッチが設定された無線基地局の構成例を示した図である。
【図５】ＦＨＭのスイッチの接続が変更された無線基地局の構成例を示した図である。
【図６】ＦＨＭのブロック構成例を示した図である。
【図７】実施の形態２に係る無線基地局の構成例を示した図である。
【図８】ＣＵのＢＢ処理装置のブロック構成例を示した図である。
【図９】記憶部に記憶されるビーム情報のデータ構成例を示した図である。
【図１０】ＦＨＭのブロック構成例を示した図である。
【図１１】ＦＨＭおよびＤＵのビーム識別情報の取得を説明する図である。
【図１２】ビームの掃引を説明する図である。
【図１３】ビーム識別情報のフィードバックを説明する図である。
【図１４】ユーザ端末へのデータ送信例を説明する図である。
【図１５】ＤＵごとのトラフィック量の計測を説明する図である。
【図１６】実施の形態３に係るＦＨＭのブロック構成例を示した図である。
【図１７】ＢＢ処理装置の一方が故障したときの無線基地局の動作例を説明する図である。
【図１８】本発明の一実施の形態に係る無線基地局及びユーザ端末のハードウェア構成の一例を示す図である。
【発明を実施するための形態】
【００１５】
以下、本発明の実施の形態を、図面を参照して説明する。
【００１６】
［実施の形態１］
図１は、実施の形態１に係る無線基地局の構成例を示した図である。図１に示すように、無線基地局は、ＣＵ（Centralized Unit）１と、ＦＨＭ２と、ＤＵ（Distributed Unit）３ａ〜３ｃと、を有している。図１には、ＤＵ３ａ〜３ｃと無線通信を行うユーザ端末４ａ〜４ｈも示してある。また、図１には、受付装置５およびネットワーク６も示してある。図１に示す無線基地局は、例えば、高度化Ｃ−ＲＡＮを形成している。
【００１７】
ＣＵ１とＦＨＭ２は、例えば、光ファイバによって接続されている。ＦＨＭ２とＤＵ３ａ〜３ｃは、例えば、光ファイバによって接続されている。
【００１８】
ＣＵ１は、コアネットワーク（図示せず）に接続されている。ＣＵ１は、コアネットワークから受信した信号（データ）をＦＨＭ２に送信する。また、ＣＵ１は、ＦＨＭ２から受信した信号をコアネットワークに送信する。ＣＵ１は、信号のベースバンド（以下、ＢＢと呼ぶことがある）処理およびＤＵ３ａ〜３ｃの保守監視処理等を行う。
【００１９】
ＦＨＭ２は、ＣＵ１と複数のＤＵ３ａ〜３ｃとの間のフロントホール回線を多重する。例えば、ＦＨＭ２は、ＣＵ１から受信した信号をコピーしてＤＵ３ａ〜３ｃに送信する。また、ＦＨＭ２は、ＤＵ３ａ〜３ｃから受信した信号を合成してＣＵ１に送信する。
【００２０】
以下で詳述するが、ＦＨＭ２は、スイッチを有している。スイッチは、ＣＵ１が備える複数のＢＢ処理装置（例えば、図４および図５を参照）と、ＤＵ３ａ〜３ｃとの間の接続を切替える（例えば、図４および図５に示すＦＨＭ２内の点線を参照）。
【００２１】
ＤＵ３ａ〜３ｃは、ＦＨＭ２を介して、ＣＵ１から受信した信号をユーザ端末４ａ〜４ｈに送信する。また、ＤＵ３ａ〜３ｃは、ユーザ端末４ａ〜４ｈから受信した信号を、ＦＨＭ２を介してＣＵ１に送信する。
【００２２】
ＤＵ３ａ〜３ｃは、例えば、数十から数百本のアンテナを有し、ユーザ端末４ａ〜４ｈと無線通信を行う。ＤＵ３ａ〜３ｃは、複数のアンテナを用いて、信号の振幅および位相を制御し、ユーザ端末４ａ〜４ｈに指向性を有するビームを形成して信号を送受信する。ＤＵ３ａ〜３ｃは、様々な方向にビームを形成することができる。
【００２３】
受付装置５は、例えば、無線基地局の保守等を行うオペレータから、ＣＵ１が有している複数のＢＢ処理装置と、ＤＵ３ａ〜３ｃとをどのように接続するかの接続指示情報を受付ける。受付装置５は、オペレータから受付けた接続指示情報を、ネットワーク６を介して、ＦＨＭ２に送信する。ＦＨＭ２のスイッチは、受信した接続指示情報に基づいて、ＣＵ１の複数のＢＢ処理装置と、ＤＵ３ａ〜３ｃとを接続する。
【００２４】
受付装置５は、例えば、パーソナルコンピュータ等の端末装置である。ネットワーク６は、例えば、ＬＡＮ（Local Area Network）またはインターネット等のネットワークである。
【００２５】
なお、図１の無線基地局は、高度化Ｃ−ＲＡＮを形成するとしたが、Ｃ−ＲＡＮを形成してもよい。また、図１では、ＣＵ１の配下に１台のＦＨＭ２しか接続されていないが、複数のＦＨＭ２が接続されてもよい。
【００２６】
また、ＣＵ１は、例えば、ＢＤＥ（Base station Digital processing Equipment）、ＢＢＵ（Base Band Unit）、無線制御装置、親局、または信号処理装置と呼ばれてもよい。また、ＤＵ３ａ〜３ｃは、例えば、ＳＲＥ（Low power Small optical remote Radio Equipment）、ＲＲＥ（Remote Radio Equipment）、ＲＲＨ（Remote Radio Head）、子局、または無線装置と呼ばれてもよい。
【００２７】
無線ネットワークシステムを構築するとき、計画時における各セルのトラフィック量と、実際に無線ネットワークシステムを構築したときの各セルのトラフィック量とが異なる場合がある。以下、図２および図３を用いて、その例について説明する。
【００２８】
図２は、セルのトラフィック量の例を説明する図のその１である。図２において、図１と同じものには同じ符号が付してある。なお、図２では、ＣＵ１とＤＵ３ｂ，３ｃとの間に、ＦＨＭ１０１が接続されている。また、図２では、ＤＵ３ａは、セルＣ１を形成し、ＤＵ３ｂ，３ｃは、セルＣ２を形成している。
【００２９】
ＣＵ１は、ＢＢ処理装置１１，１２を有している。ＢＢ処理装置１１，１２は、それぞれ異なるセルのベースバンド処理を行う。例えば、ＢＢ処理装置１１は、セルＣ１のベースバンド処理を行い、ＢＢ処理装置１２は、セルＣ２のベースバンド処理を行う。
【００３０】
ＤＵ３ａは、ＢＢ処理装置１１に接続されている。ＤＵ３ｂ，３ｃは、ＦＨＭ１０１を介して、ＢＢ処理装置１２に接続されている。
【００３１】
ＦＨＭ１０１は、ＢＢ処理装置１２から出力されるＤＬ（Down Link）信号をコピーして、ＤＵ３ｂ，３ｃに送信する。また、ＦＨＭ１０１は、ＤＵ３ｂ，３ｃから出力されるＵＬ（Up Link）信号を多重して、ＢＢ処理装置１２に送信する。これにより、ＣＵ１のＢＢ処理装置１２は、複数のＤＵ３ｂ，３ｃを１セル（セルＣ２）として収容することができる。なお、ＦＨＭ１０１は、ＤＵ３ｂ，３ｃから送られてくる信号のうち、ＵＬ信号を含む信号を抽出して、ＢＢ処理装置１２に送信する。
【００３２】
無線ネットワークシステムを構築するとき、例えば、計画時において、各エリアのトラフィック量がシミュレーションされる。その結果、例えば、ＤＵ３ａのエリアでのトラフィック量は多く、ＤＵ３ｂ，３ｃのそれぞれのエリアでのトラフィック量は少なかったとする。
【００３３】
この場合、図２に示すように、トラフィック量の少ないＤＵ３ｂ，３ｃをＦＨＭ１０１で束ね、ＤＵ３ｂ，３ｃの２つエリアを、１つのセルＣ２でカバーする。言い換えれば、トラフィック量の少ないＤＵ３ｂ，３ｃの２つエリアを、１つのＢＢ処理装置１２でカバーさせ、トラフィック量の多いＤＵ３ａの１つのエリアを、１つのＢＢ処理装置１３でカバーさせる。これにより、ＢＢ処理装置１１，１２のトラフィック量を平準化（分散）させることができる。
【００３４】
なお、次世代の無線ネットワークシステム（例えば、５Ｇ）では、無線周波数は、例えば、数ＧＨｚ〜数十ＧＨｚの高周波帯を利用することが検討されている。電波は、高周波化により、直進性が増し、ビル影等によってユーザ端末に届きにくくなる。そのため、次世代の無線ネットワークシステムでは、ＤＵを増やしてエリアをスモールエリア化し、ビームフォーミングにより、無線通信を行うことが検討されている。
【００３５】
無線基地局は、このようなＤＵの増加に対し、ＦＨＭを用いることで、必要な無線容量が少ない場所でのスモールエリア化において、より多くのＤＵを１つのＢＢ処理装置に収容することが可能となる。例えば、無線基地局は、ＦＨＭ１０１を用いることで、ＤＵ３ｂ，３ｃを１つのＢＢ処理装置１２に収容でき、少ない投資で、５Ｇのエリアを増やすことができる。
【００３６】
図３は、セルのトラフィック量の例を説明する図のその２である。図３において、図２と同じものには同じ符号が付してある。
【００３７】
シミュレーションによる各セルのトラフィック量と、実際に無線ネットワークシステムを構築したときの各セルのトラフィック量とが異なる場合がある。例えば、シミュレーション時にはなかった建築物による伝搬環境の変化またはユーザ端末の実際の在圏数によって、シミュレーションによる各セルのトラフィック量と、実際に無線ネットワークシステムを構築したときの各セルのトラフィック量とが異なる場合がある。
【００３８】
例えば、図３に示すように、シミュレーション時になかったビル１０２が建造されたり、ＤＵ３ｃに在圏するユーザ端末４ｅ〜４ｈの数がシミュレーションで予想した数より多かったりすると、ＢＢ処理装置１２のトラフィック量が増加する。なお、図２に示したＤＵ３ｃには、２台のユーザ端末４ｇ，４ｈが在圏していたが、図３のＤＵ３ｃには、４台のユーザ端末４ｅ〜４ｈが在圏している。また、図２に示したＤＵ３ａには、４台のユーザ端末４ａ〜４ｄが在圏していたが、図３のＤＵ３ａには、２台のユーザ端末４ａ，４ｂが在圏している。
【００３９】
このように、シミュレーションによる各セルのトラフィック量と、実際に無線ネットワークシステムを構築したときの各セルのトラフィック量とが異なった場合、ＣＵ１、ＦＨＭ１０１、およびＤＵ３ａ〜３ｃ間の接続関係を変更する。そして、ＢＢ処理装置１１のトラフィック量と、ＢＢ処理装置１２のトラフィック量とを平準化させる。
【００４０】
例えば、実際のトラフィック量が少なかった２台のＤＵ３ａ，３ｂを、ＦＨＭ１０１介して、ＢＢ処理装置１１に接続する。すなわち、２台のＤＵ３ａ，３ｂをＦＨＭ１０１で束ね、ＢＢ処理装置１１に接続する。また、実際のトラフィック量が多かった１台のＤＵ３ｃを、ＢＢ処理装置１２に直接接続する。これにより、ＢＢ処理装置１１のトラフィック量と、ＢＢ処理装置１２のトラフィック量とを平準化させることができる。
【００４１】
しかし、ＣＵ１、ＦＨＭ１０１、およびＤＵ３ａ〜３ｃ間の接続関係を変更するには、配線の挿抜が必要となり手間がかかる。そこで、図１に示したＦＨＭ２は、ＢＢ処理装置１１，１２と、ＤＵ３ａ〜３ｃとの間の接続を切替えるスイッチを備える。
【００４２】
図４は、計画時のトラフィック量に基づいて、ＦＨＭ２のスイッチ２３ｂが設定された無線基地局の構成例を示した図である。図４において、図３と同じものには同じ符号が付してある。なお、図４では、図３のＦＨＭ１０１が、図１に示したＦＨＭ２となっている。また、図４には、図１に示した受付装置５およびネットワーク６が示してある。
【００４３】
無線ネットワークシステムを構築する前のシミュレーションでは、ＤＵ３ａのエリアでのトラフィック量は多く、ＤＵ３ｂ，３ｃの各エリアでのトラフィック量は少なかったとする。
【００４４】
この場合、ＦＨＭ２のスイッチ２３ｂは、ＢＢ処理装置１１，１２のトラフィック量を平準化するよう、スイッチ２３ｂ内の点線で示すように、ＢＢ処理装置１１とＤＵ３ａとを接続し、ＢＢ処理装置１２とＤＵ３ｂ，３ｃとを接続する。つまり、ＦＨＭ２のスイッチ２３ｂは、トラフィック量が少ないとシミュレーションされた２つのエリアのＤＵ３ｂ，３ｃをＢＢ処理装置１２に接続し、トラフィック量が多いとシミュレーションされた１つのエリアのＤＵ３ａをＢＢ処理装置１１に接続して、無線ネットワークシステムを構築する。
【００４５】
しかし、上記したように、シミュレーションによるトラフィック量と、実際のトラフィック量は、異なる場合がある。例えば、実際の無線ネットワークシステムでは、ＤＵ３ａのエリアのトラフィック量は少なく、ＤＵ３ｃのエリアのトラフィック量が多い場合がある。
【００４６】
そこで、ＦＨＭ２のスイッチ２３ｂは、受付装置５からの接続指示情報に基づいて、ＢＢ処理装置１１，１２と、ＤＵ３ａ〜３ｃとの間の接続を切替え、ＤＵ３ａ〜３ｃが形成するセルを変更する。そして、スイッチ２３ｂは、ＢＢ処理装置１１，１２のトラフィック量を平準化させる。
【００４７】
図５は、ＦＨＭ２のスイッチ２３ｂの接続が変更された無線基地局の構成例を示した図である。図５において、図４と同じものには同じ符号が付してある。
【００４８】
上記したように、実際の無線ネットワークシステムでは、ＤＵ３ａのエリアのトラフィック量は少なく、ＤＵ３ｃのエリアのトラフィック量が多かったとする。この場合、オペレータは、受付装置５を用いて、ＢＢ処理装置１１とＤＵ３ａ，３ｂとが接続されるように、接続指示情報をＦＨＭ２に送信する。また、オペレータは、ＢＢ処理装置１２とＤＵ３ｃとが接続されるように、接続指示情報をＦＨＭ２に送信する。
【００４９】
これにより、トラフィック量が少ない２台のＤＵ３ａ，３ｂは、図５のスイッチ２３ｂ内の点線で示すように、ＢＢ処理装置１１に接続される。トラフィック量が多い１台のＤＵ３ｃは、ＢＢ処理装置１２に接続される。このようにして、ＢＢ処理装置１１，１２のトラフィック量は平準化される。
【００５０】
図６は、ＦＨＭ２のブロック構成例を示した図である。図６に示すように、ＦＨＭ２は、Ｉ／Ｆ部２１，２５と、コピー／合成部２２ａ，２２ｂと、制御部２３ａと、スイッチ２３ｂと、受信部２４と、を有している。
【００５１】
Ｉ／Ｆ部２１は、例えば、光コネクタ等のコネクタである。Ｉ／Ｆ部２１には、例えば、光ファイバを介して、ＣＵ１のＢＢ処理装置１１，１２が接続される。
【００５２】
コピー／合成部２２ａには、Ｉ／Ｆ部２１を介して、ＢＢ処理装置１１から出力された信号（ＤＬ信号）が入力される。コピー／合成部２２ａは、ＢＢ処理装置１１から出力された信号をコピーし、スイッチ２３ｂの端子Ｔ２，Ｔ１２，Ｔ２２に出力する。
【００５３】
コピー／合成部２２ａには、スイッチ２３ｂを介して、ＤＵ３ａ〜３ｃから出力された信号（ＵＬ信号）が入力される。コピー／合成部２２ａは、スイッチ２３ｂの端末Ｔ２，Ｔ１２，Ｔ２２から出力された信号を合成（多重）し、Ｉ／Ｆ部２１に出力する。
【００５４】
コピー／合成部２２ｂには、Ｉ／Ｆ部２１を介して、ＢＢ処理装置１２から出力された信号（ＤＬ信号）が入力される。コピー／合成部２２ｂは、ＢＢ処理装置１２から出力された信号をコピーし、スイッチ２３ｂの端子Ｔ３，Ｔ１３，Ｔ２３に出力する。
【００５５】
コピー／合成部２２ｂには、スイッチ２３ｂを介して、ＤＵ３ａ〜３ｃから出力された信号（ＵＬ信号）が入力される。コピー／合成部２２ｂは、スイッチ２３ｂの端末Ｔ３，Ｔ１３，Ｔ２３から出力された信号を合成（多重）し、Ｉ／Ｆ部２１に出力する。
【００５６】
制御部２３ａは、ＤＵ３ａ〜３ｃのそれぞれの接続先を、ＢＢ処理装置１１，１２のいずれか１つに決定する。例えば、制御部２３ａは、後述する受信部２４によって受信された接続先指示情報に基づいて、ＤＵ３ａ〜３ｃのそれぞれの接続先を、ＢＢ処理装置１１，１２のいずれか１つに決定する。
【００５７】
スイッチ２３ｂは、端子Ｔ１〜Ｔ３，Ｔ１１〜Ｔ１３，Ｔ２１〜Ｔ２３を有している。端子Ｔ１は、Ｉ／Ｆ部２５を介して、ＤＵ３ａと接続されている。端子Ｔ１１は、Ｉ／Ｆ部２５を介して、ＤＵ３ｂと接続されている。端子Ｔ２１は、Ｉ／Ｆ部２５を介して、ＤＵ３ｃと接続されている。
【００５８】
端子Ｔ２は、コピー／合成部２２ａに接続されている。端子Ｔ３は、コピー／合成部２２ｂに接続されている。端子Ｔ１２は、コピー／合成部２２ａに接続されている。端子Ｔ１３は、コピー／合成部２２ｂに接続されている。端子Ｔ２２は、コピー／合成部２２ａに接続されている。端子Ｔ２３は、コピー／合成部２２ｂに接続されている。
【００５９】
端子Ｔ１は、制御部２３ａの制御に応じて、端子Ｔ２，Ｔ３のいずれか１つに接続される。また、端子Ｔ１１は、制御部２３ａの制御に応じて、端子Ｔ１２，Ｔ１３のいずれかに１つに接続される。また、端子Ｔ２１は、制御部２３ａの制御に応じて、端子Ｔ２２，Ｔ２３のいずれかに１つに接続される。すなわち、スイッチ２３ｂは、ＤＵ３ａ〜３ｃのそれぞれを、制御部２３ａの制御に応じて、ＢＢ処理装置１１，１２のいずれか１つに切替え可能に接続する。
【００６０】
受信部２４は、ネットワーク６を介して、受付装置５に接続されている。受信部２４は、受付装置５から送信される接続先指示情報を受信し、制御部２３ａに出力する。
【００６１】
接続先指示情報は、ＤＵ３ａ〜３ｃを、どのＢＢ処理装置１１，１２に接続するかを示す情報である。例えば、接続先指示情報が、ＤＵ３ａをＢＢ処理装置１１に接続し、ＤＵ３ｂをＢＢ処理装置１２に接続し、ＤＵ３ｃをＢＢ処理装置１２に接続する、という情報であったとする。この場合、スイッチ２３ｂは、図６に示すように、端子Ｔ１〜Ｔ３を、端子Ｔ１１〜Ｔ１３，Ｔ２１〜Ｔ２３に接続する。
【００６２】
Ｉ／Ｆ部２５は、例えば、光コネクタ等のコネクタである。Ｉ／Ｆ部２５には、例えば、光ファイバを介して、ＤＵ３ａ〜３ｃが接続される。
【００６３】
なお、図６では図示を省略しているが、ＦＨＭ２は、光信号を電気信号に変換する変換部、電気信号を光信号に変換する変換部等、を有している。また、ＦＨＭ２は、ＦＨＭ２と各ＤＵ３ａ〜３ｃとの間の信号伝達時間を調整するディレイオフセット部等を有している。
【００６４】
ＦＨＭ２の動作例について説明する。無線ネットワークシステムの計画時におけるシミュレーションでは、ＤＵ３ａのエリアのトラフィック量が多く、ＤＵ３ｂ，３ｃのエリアのトラフィック量が少ないとする。この場合、スイッチ２３ｂの端子Ｔ１を端子Ｔ２に接続し、端子Ｔ１１を端子Ｔ１３に接続し、端子Ｔ２１を端子Ｔ２３に接続して、無線ネットワークシステムを構築する。なお、無線ネットワークシステムを構築する際のスイッチ２３ｂの接続は、受付装置５から制御してもよい。
【００６５】
スイッチ２３ｂの上記接続により、ＢＢ処理装置１１とＤＵ３ａとが接続され、ＢＢ処理装置１２とＤＵ３ｂ，３ｃとが接続される。従って、ＢＢ処理装置１１は、トラフィック量が多いとシミュレーションされた１台のＤＵ３ａを収容し、ＢＢ処理装置１２は、トラフィック量が少ないとシミュレーションされた２台のＤＵ３ｂ，３ｂを収容する。
【００６６】
無線ネットワークシステムを実際に稼働させると、シミュレーション結果と異なり、ＤＵ３ａ，３ｂの各エリアのトラフィック量は少なく、ＤＵ３ｃのエリアのトラフィック量が多かったとする。
【００６７】
この場合、オペレータは、受付装置５を操作して、ＤＵ３ｂがＢＢ処理装置１１に接続されるよう、接続先指示情報を入力する。受付装置５に入力された接続先指示情報は、ＦＨＭ２の制御部２３ａに送信される。
【００６８】
制御部２３ａは、受付装置５から送信された接続先指示情報に基づいて、端子Ｔ１，Ｔ１１，Ｔ２１の接続先を制御する。上記例の場合、制御部２３ａは、端子Ｔ１１を端子Ｔ１２に接続する。
【００６９】
スイッチ２３ｂの上記接続により、ＢＢ処理装置１１とＤＵ３ａ，３ｂとが接続され、ＢＢ処理装置１２とＤＵ３ｃとが接続される。従って、ＢＢ処理装置１１は、トラフィック量の少ない２台のＤＵ３ａ，３ｂを収容し、ＢＢ処理装置１２は、トラフィック量の多い１台のＤＵ３ｃを収容する。これにより、ＢＢ処理装置１１，１２のトラフィック量は、平準化される。
【００７０】
以上説明したように、ＦＨＭ２のＩ／Ｆ部２１には、それぞれが、異なるセルＣ１，Ｃ２のベースバンド処理を行う複数のＢＢ処理装置１１，１２が接続される。Ｉ／Ｆ部２５には、ユーザ端末４ａ〜４ｈと無線通信を行う複数のＤＵ３ａ〜３ｃが接続される。制御部２３ａは、Ｉ／Ｆ部２５に接続されたＤＵ３ａ〜３ｃのそれぞれの接続先を、Ｉ／Ｆ部２１に接続されたＢＢ処理装置１１，１２のいずれか１つに決定する。スイッチ２３ｂは、制御部２３ａの決定に基づいて、ＤＵ３ａ〜３ｃをＢＢ処理装置１１，１２に接続する。これにより、無線基地局は、配線の挿抜を行うことなく、複数の無線装置が形成するセルＣ１，Ｃ２を容易に変更できる。
【００７１】
また、ＦＨＭ２は、ＤＵ３ａ〜３ｃの接続先指示を受付ける受付装置５から、ネットワーク６を介して、接続先指示情報を受信する受信部２４を備える。制御部２３ａは、受信部２４によって受信された接続先指示情報に基づいて、ＤＵ３ａ〜３ｃのそれぞれを、ＢＢ処理装置１１，１２のいずれか１つに接続するよう接続先を決定する。これにより、オペレータは、遠隔操作によって、ＤＵ３ａ〜３ｃが形成するセルを容易に変更できる。
【００７２】
また、容易に複数の無線装置が形成するセルＣ１，Ｃ２を変更できるので、容易にＢＢ処理装置１１，１２のトラフィック量の平準化を図ることができる。
【００７３】
なお、上記では、１つのＣＵ１が、２つのＢＢ処理装置１１，１２を備えていたが、２つのＣＵがそれぞれ、１つのＢＢ処理装置を備えていてもよい。例えば、一方のＣＵがＢＢ処理装置１１を備え、他方のＣＵがＢＢ処理装置１２を備えていてもよい。また、ＢＢ処理装置の数は、上記例（２つ）に限られない。ＢＢ処理装置は、３つ以上存在していてもよい。また、ＤＵ３ａ〜３ｃも３つしか示していないが、４つ以上存在していてもよい。
【００７４】
また、上記では、受付装置５が接続先指示情報を受付けたが、ＦＨＭ２が接続先指示情報を受付ける受付装置を有していてもよい。例えば、ＦＨＭ２は、接続先指示情報を受付けるキー入力装置を有していてもよい。
【００７５】
また、コピー／合成部２２ａ，２２ｂの機能は、上記で説明した機能に限定されない。コピー／合成部２２ａ，２２ｂは、ＢＢ処理装置１１，１２に接続されたＤＵ３ａ〜３ｃに対し、ＤＬ信号をコピーし、また、ＵＬ信号を合成すればよい。例えば、コピー／合成部２２ａは、ＢＢ処理装置１１にＤＵ３ａ，３ｂが接続された場合、コピーしたＤＬ信号を、端子Ｔ２，Ｔ１２に出力すればよい。また、コピー／合成部２２ａは、端子Ｔ２，Ｔ１２からのＵＬ信号を合成すればよい。
【００７６】
また、上記では、受付装置５は、ネットワーク６を経由して、ＦＨＭ２と通信を行ったが、ＣＵ１を経由して、ＦＨＭ２と通信を行ってもよい。例えば、受付装置５は、接続先指示情報を、ＣＵ１を経由して、ＦＨＭ２に送信してもよい。
【００７７】
［実施の形態２］
実施の形態１では、制御部２３ａは、受付装置５が受付けた接続先指示情報に基づいて、ＢＢ処理装置１１，１２とＤＵ３ａ〜３ｃとの接続を切替えた。実施の形態２では、制御部は、ＤＵのそれぞれのトラフィック量に基づいて、ＢＢ処理装置とＤＵとの接続を切替える。以下では、実施の形態１と異なる部分について説明する。
【００７８】
図７は、実施の形態２に係る無線基地局の構成例を示した図である。図７に示すように、無線基地局は、ＣＵ３１と、ＦＨＭ３２と、ＤＵ３３ａ〜３３ｃと、を有している。図７には、ユーザ端末４ａ〜４ｇも示してある。
【００７９】
ＣＵ３１は、異なるセルのベースバンド処理を行うＢＢ処理装置４１，４２を有している。ＢＢ処理装置４１，４２は、ＦＨＭ３２を介して接続されているＤＵごとのトラフィック量を計測する。
【００８０】
例えば、ＢＢ処理装置４１は、ＦＨＭ３２内の点線で示すように、ＤＵ３３ａ，３３ｂに接続されているとする。ＢＢ処理装置４２は、ＦＨＭ３２内の点線で示すように、ＤＵ３３ｃに接続されているとする。この場合、ＢＢ処理装置４１は、ＤＵ３３ａ，３３ｂのそれぞれのトラフィック量を計測する。ＢＢ処理装置４２は、ＤＵ３３ｃのトラフィック量を計測する。
【００８１】
ＢＢ処理装置４１，４２は、ＤＵ３３ａ〜３３ｃごとのトラフィック量をＦＨＭ３２に送信する。ＦＨＭ３２は、ＢＢ処理装置４１，４２から送信されたＤＵ３３ａ〜３３ｃごとのトラフィック量に基づいて、ＢＢ処理装置４１，４２とＤＵ３３ａ〜３３ｃとの接続を切替える。
【００８２】
例えば、ＤＵ３３ａのトラフィック量が多くなったとする。この場合、２台のＤＵ３３ａ，３３ｂが接続されているＢＢ処理装置４１の負荷は、大きくなる。そこで、ＦＨＭ３２は、ＤＵ３３ｂをＢＢ処理装置４２に接続するように切替える。これにより、ＤＵ３３ａ〜３３ｃが形成するセルが変更され、ＢＢ処理装置４１，４２のトラフィック量は、平準化される。
【００８３】
図８は、ＣＵ３１のＢＢ処理装置４１のブロック構成例を示した図である。図８に示すように、ＢＢ処理装置４１は、Ｉ／Ｆ部５１，５３と、ＢＢ処理部５２と、制御部５４と、記憶部５５と、計測部５６と、を有している。
【００８４】
Ｉ／Ｆ部５１は、コアネットワークに接続された上位装置（図７には図示せず）と通信を行う。例えば、Ｉ／Ｆ部５１は、上位装置からデータを受信し、ＢＢ処理部５２に出力する。また、Ｉ／Ｆ部５１は、ＢＢ処理部５２から出力されるデータを上位装置に送信する。
【００８５】
ＢＢ処理部５２は、Ｉ／Ｆ部５１から出力される信号（ＤＬ信号）のＢＢ処理を行う。例えば、ＢＢ処理部５２は、Ｉ／Ｆ部５１から出力される信号の符号化、変調、プリコーディング、スケジューリング、およびマッピング等を行う。ＢＢ処理部５２は、ＢＢ処理したＤＬ信号を、Ｉ／Ｆ部５３に出力する。
【００８６】
また、ＢＢ処理部５２は、Ｉ／Ｆ部５３から出力される信号（ＵＬ信号）のＢＢ処理を行う。例えば、ＢＢ処理部５２は、Ｉ／Ｆ部５３から出力される信号のデマッピング、チャネル推定、復調、および復号等を行う。ＢＢ処理部５２は、ＢＢ処理したＵＬ信号を、Ｉ／Ｆ部５１に出力する。
【００８７】
また、ＢＢ処理部５２は、制御部５４から出力されるビーム情報（以下で説明する）を、Ｉ／Ｆ部５３を介して、ＦＨＭ３２に送信する。例えば、ＢＢ処理部５２は、制御部５４から出力されるビーム情報をＤＬ信号に含め、ＦＨＭ３２に送信する。または、ＢＢ処理部５２は、制御部５４から出力されるビーム情報を、例えば、ＤＵを保守または監視する信号に含め、ＦＨＭ３２に送信する。なお、ＦＨＭ３２に送信されたビーム情報は、ＢＢ処理装置４１に接続されているＤＵに送信される。
【００８８】
また、ＢＢ処理部５２は、計測部５６から出力されるトラフィック量（以下で説明する）を、Ｉ／Ｆ部５３を介して、ＦＨＭ３２に送信する。例えば、ＢＢ処理部５２は、計測部５６から出力されるトラフィック量をＤＬ信号に含め、ＦＨＭ３２に送信する。または、ＢＢ処理部５２は、計測部５６から出力されるビーム情報を、例えば、ＤＵを保守または監視する信号に含め、ＦＨＭ３２に送信する。
【００８９】
Ｉ／Ｆ部５３は、ＢＢ処理部５２から出力される信号を電気−光変換し、光ファイバに出力（ＦＨＭ３２に送信）する。また、Ｉ／Ｆ部５３は、光ファイバから（ＦＨＭ３２から）受信した光信号を光−電気変換し、ＢＢ処理部５２に出力する。
【００９０】
制御部５４は、記憶部５５に記憶されているビーム情報をＢＢ処理部５２に出力する。
【００９１】
記憶部５５には、ＤＵ３３ａ〜３３ｃが形成するビームの方向を識別するビーム情報が記憶されている。ビーム情報は、例えば、予め記憶部５５に記憶されている。ビーム情報は、例えば、ＦＨＭ３２に新たなＤＵが接続されたとき、または、ＤＵが交換されたとき、更新される。ビーム情報は、例えば、上位装置から送信され、記憶部５５に記憶されてもよい。
【００９２】
図９は、記憶部５５に記憶されるビーム情報５５ａのデータ構成例を示した図である。図９に示すように、ビーム情報５５ａは、ＤＵ識別情報５５ａａと、ビーム識別情報５５ａｂと、有している。
【００９３】
ＤＵ識別情報５５ａａは、ＦＨＭ３２に接続されているＤＵ３３ａ〜３３ｃを識別するユニークな識別情報である。例えば、図９に示す「ＤＵ＃１」は、図７に示したＤＵ３３ａに付与された識別子であり、「ＤＵ＃２」は、ＤＵ３３ｂに付与された識別子である。また、図９に示す「ＤＵ＃ｎ」は、例えば、ＤＵ３３ｃに付与された識別子である。なお、図７の例では、ＤＵは、３台しか示していない。従って、この場合、記憶部５５には、「ＤＵ＃１」、「ＤＵ＃２」、「ＤＵ＃ｎ」の３つのＤＵ識別情報が記憶されることになる。
【００９４】
ビーム識別情報５５ａｂは、各ＤＵ３３ａ〜３３ｃが形成するビームの方向を識別する識別情報であり、各ＤＵ３３ａ〜３３ｃが形成するビーム間で異なるように、各ビームに割り当てられる。言い換えれば、ビーム識別情報５５ａｂは、複数のＤＵ３３ａ〜３３ｃ（ＤＵ識別情報５５ａａ）にわたり、ユニークな情報となっている。ビーム識別情報５５ａｂは、ＤＵ識別情報５５ａａのそれぞれに対して、少なくとも１つ以上対応付けられ、記憶部５５に記憶される。
【００９５】
例えば、図９に示すビーム識別情報５５ａｂの「ＢＭＩ１〜ＢＭＩ４」は、ＤＵ識別情報５５ａａの「ＤＵ＃１」に対応付けられ、ビーム識別情報５５ａｂの「ＢＭＩ５〜ＢＭＩ８」は、ＤＵ識別情報５５ａａの「ＤＵ＃２」に対応付けられている。また、例えば、図９に示すビーム識別情報５５ａｂの「ＢＭＩｍ−３〜ＢＭＩｍ」は、ＤＵ識別情報５５ａａの「ＤＵ＃ｎ」に対応付けられている。そして、ビーム識別情報５５ａｂの「ＢＭＩ１，ＢＭＩ２，…，ＢＭＩｍ−１，ＢＭＩｍ」は、ＤＵ識別情報５５ａａの「ＤＵ＃１〜ＤＵ＃ｎ」にわたり、ユニークな情報となっている。
【００９６】
なお、図９では、ＤＵ識別情報５５ａａのそれぞれに対し、４つのビーム識別情報５５ａｂが対応付けられているが、これに限られない。例えば、ＤＵ識別情報５５ａａに対応付けられるビーム識別情報５５ａｂの数は、ＤＵ３３ａ〜３３ｃが形成できるビームの方向の数に依存してもよい。
【００９７】
図８の説明に戻る。計測部５６は、ＢＢ処理部５２でＢＢ処理されるＤＬ信号の、ＤＵごとのトラフィック量を計測する。例えば、図７のＦＨＭ３２内の点線で示すように、ＢＢ処理装置４１にＤＵ３３ａ，３３ｂが接続されている場合、計測部５６は、ＤＵ３３ａのトラフィック量と、ＤＵ３３ｂのトラフィック量とを計測する。計測部５６は、以下で詳述する。
【００９８】
なお、ＢＢ処理装置４２も、図８に示したブロックと同様のブロックを有する。ただし、ＢＢ処理装置４２の計測部は、ＢＢ処理装置４２に接続されている各ＤＵのトラフィック量を計測する。例えば、図７のＦＨＭ３２内の点線で示すように、ＢＢ処理装置４３にＤＵ３３ｃが接続されている場合、ＢＢ処理装置４２の計測部は、ＤＵ３３ｃのトラフィック量を計測する。
【００９９】
また、ＢＢ処理装置４２の記憶部には、ＢＢ処理装置４１の記憶部５５と同様のビーム情報（図９のビーム情報５５ａ）が記憶されている。すなわち、ＢＢ処理装置４２の記憶部には、ＦＨＭ３２に接続されているＤＵ３３ａ〜３３ｃのＤＵ識別情報と、ＤＵ３３ａ〜３３ｃが形成するビームの方向を識別するユニークなビーム識別情報とが対応付けて記憶されている。
【０１００】
図１０は、ＦＨＭ３２のブロック構成例を示した図である。図１０において、図６と同じものには同じ符号が付してある。図１０では、図６に対し、受信部６１と、制御部６２ａと、スイッチ６２ｂと、を有している。
【０１０１】
受信部６１は、ＢＢ処理装置４１，４２から送信されるＤＵ３３ａ〜３３ｃごとのトラフィック量を受信する。受信部６１は、受信したＤＵ３３ａ〜３３ｃごとのトラフィック量を、制御部６２ａに出力する。
【０１０２】
制御部６２ａは、ＤＵ３３ａ〜３３ｃごとのトラフィック量に基づいて、ＤＵ３３ａ〜３３ｃのそれぞれの接続先を、ＢＢ処理装置４１，４２のいずれか１つに決定する。
【０１０３】
図８のＢＢ処理装置４１の計測部５６について詳述する。まず、図１１〜図１４を用いて、ＢＭＩを用いたビームフォーミングによるデータ通信を説明し、その後図１５を用いて、計測部５６のＤＵごとのトラフィック量の計測を説明する。
【０１０４】
図１１は、ＦＨＭ３２およびＤＵ３３ａ〜３３ｃのビーム識別情報５５ａｂの取得を説明する図である。図１１には、図７に示したＦＨＭ３２と、ＤＵ３３ａ〜３３ｂと、が示してある。また、図１１には、ＢＢ処理装置４１，４２が有する、図９に示したビーム情報５５ａが示してある。
【０１０５】
ビーム情報５５ａは、図１１の矢印Ａ１ａに示すように、ＢＢ処理装置４１から、ＦＨＭ３２に送信される。ＦＨＭ３２に送信されたビーム情報５５ａは、ＦＨＭ３２でコピーされて、図１１の矢印Ａ２に示すように、ＤＵ３３ａ，３３ｂに送信される。
【０１０６】
また、ビーム情報５５ａは、図１１の矢印Ａ１ｂに示すように、ＢＢ処理装置４２から、ＦＨＭ３２に送信される。ＦＨＭ３２に送信されたビーム情報５５ａは、ＦＨＭ３２を介して、図１１の矢印Ａ３に示すように、ＤＵ３３ｃに送信される。
【０１０７】
ＤＵ３３ａ〜３３ｃは、自機に割り当てられているＤＵ識別情報を、自身が備える記憶部に記憶している。例えば、ＤＵ３３ａは、自機のＤＵ識別情報「ＤＵ＃１」を、記憶部に記憶している。ＤＵ３３ｂは、自機のＤＵ識別情報「ＤＵ＃２」を、記憶部に記憶している。ＤＵ３３ｃは、自機のＤＵ識別情報「ＤＵ＃ｎ」を、記憶部に記憶している。
【０１０８】
ＤＵ３３ａ〜３３ｃは、自機のＤＵ識別情報に基づいて、ＦＨＭ３２から受信したビーム情報５５ａを参照し、自機のＤＵ識別情報に対応するビーム識別情報を取得する。
【０１０９】
例えば、図１１に示すビーム情報５５ｂは、ＤＵ３３ａがＦＨＭ３２から受信したビーム情報５５ａの一部を示している。ＤＵ３３ａのＤＵ識別情報は「ＤＵ＃１」であるので、ＤＵ３３ａは、ビーム情報５５ｂの太枠に示すビーム識別情報「ＢＭＩ１，ＢＭＩ２，ＢＭＩ３，ＢＭＩ４」を取得する。
【０１１０】
また、例えば、図１１に示すビーム情報５５ｃは、ＤＵ３３ｂがＦＨＭ３２から受信したビーム情報５５ａの一部を示している。ＤＵ３３ｂのＤＵ識別情報は「ＤＵ＃２」であるので、ＤＵ３３ｂは、ビーム情報５５ｃの太枠に示すビーム識別情報「ＢＭＩ５，ＢＭＩ６，ＢＭＩ７，ＢＭＩ８」を取得する。
【０１１１】
また、例えば、図１１に示すビーム情報５５ｄは、ＤＵ３３ｃがＦＨＭ２から受信したビーム情報５５ａの一部を示している。ＤＵ３３ｃのＤＵ識別情報は「ＤＵ＃ｎ」であるので、ＤＵ３３ｃは、ビーム情報５５ｄの太枠に示すビーム識別情報「ＢＭＩｍ−３，ＢＭＩｍ−２，ＢＭＩｍ−１，ＢＭＩｍ」を取得する。このようにして、ＤＵ３３ａ〜３３ｃは、自機に割り当てられたユニークなビーム識別情報を取得する。なお、ＤＵ３３ａ〜３３ｃは、ＢＢ処理装置４１，４２から送信されたビーム情報５５ａを記憶部に記憶する。
【０１１２】
ＤＵ３３ａ〜３３ｃは、ユーザ端末４ａ〜４ｃに向ける最適なビームを探索するため、ビームを様々な方向に掃引する。このとき、ＤＵ３３ａ〜３３ｃは、ビーム情報５５から取得した、自機に割り当てられたビーム識別情報を、掃引するビームに含ませる。
【０１１３】
図１２は、ビームの掃引を説明する図である。図１２において、図７と同じものには同じ符号が付してある。
【０１１４】
ＤＵ３３ａ〜３３ｃは、ユーザ端末４ａ〜４ｈに向ける最適なビームを探索するとき、図１２に示すように、様々な方向にビームを形成する。例えば、図１２に示すビーム６６ａ〜６６ｄは、ＤＵ３３ａが形成するビームを示している。ビーム６７ａ〜６７ｄは、ＤＵ３３ｂが形成するビームを示している。ビーム６８ａ〜６８ｄは、ＤＵ３３ｃが形成するビームを示している。
【０１１５】
ＤＵ３３ａ〜３３ｃは、ビームを掃引するとき、自機に割り当てられたビーム識別情報をビームに含ませる。
【０１１６】
例えば、ＤＵ３３ａには、ビーム識別情報「ＢＭＩ１，ＢＭＩ２，ＢＭＩ３，ＢＭＩ４」が割り当てられている（図１１のビーム情報５５ｂを参照）。従って、ＤＵ３３ａは、掃引するビーム６６ａ〜６６ｄのそれぞれに、「ＢＭＩ１，ＢＭＩ２，ＢＭＩ３，ＢＭＩ４」を含める。例えば、ＤＵ３３ａは、「ＢＭＩ１，ＢＭＩ２，ＢＭＩ３，ＢＭＩ４」のそれぞれに、ビーム６６ａ〜６６ｄを形成するＢＦウェイトのそれぞれを乗算する。
【０１１７】
また、例えば、ＤＵ３３ｂには、ビーム識別情報「ＢＭＩ５，ＢＭＩ６，ＢＭＩ７，ＢＭＩ８」が割り当てられている（図１１のビーム情報５５ｃを参照）。従って、ＤＵ３３ｂは、掃引するビーム６７ａ〜６７ｄのそれぞれに、「ＢＭＩ５，ＢＭＩ６，ＢＭＩ７，ＢＭＩ８」を含める。例えば、ＤＵ３３ｂは、「ＢＭＩ５，ＢＭＩ６，ＢＭＩ７，ＢＭＩ８」のそれぞれに、ビーム６７ａ〜６７ｄを形成するＢＦウェイトのそれぞれを乗算する。
【０１１８】
また、例えば、ＤＵ３３ｃには、ビーム識別情報「ＢＭＩｍ−３，ＢＭＩｍ−２，ＢＭＩｍ−１，ＢＭＩｍ」が割り当てられている（図１１のビーム情報５５ｄを参照）。従って、ＤＵ３３ｃは、掃引するビーム６８ａ〜６８ｄのそれぞれに、「ＢＭＩｍ−３，ＢＭＩｍ−２，ＢＭＩｍ−１，ＢＭＩｍ」を含める。例えば、ＤＵ３３ｃは、「ＢＭＩｍ−３，ＢＭＩｍ−２，ＢＭＩｍ−１，ＢＭＩｍ」のそれぞれに、ビーム６８ａ〜６８ｄを形成するＢＦウェイトのそれぞれを乗算する。このようにして、ＤＵ３３ａ〜３３ｃは、ビーム識別情報を含むビームを掃引する。
【０１１９】
ユーザ端末４ａ〜４ｈは、ＤＵ３３ａ〜３３ｃから出力される、掃引されるビームを受信する。ユーザ端末４ａ〜４ｈは、受信したビームの中から、通信品質の最もよいビームのビーム識別情報（ＢＭＩ）を、ＢＢ処理装置４１，４２にフィードバックする。
【０１２０】
図１３は、ビーム識別情報のフィードバックを説明する図である。図１３において、図７と同じものには同じ符号が付してある。なお、図１３では、説明を簡単にするため、一部のユーザ端末４ａ，４ｄ，４ｇだけを示している。
【０１２１】
ユーザ端末４ａは、ＤＵ３３ａから出力される、掃引されるビームを受信する。ユーザ端末４ａは、受信したビームのうち、ビーム識別情報「ＢＭＩ２」のビームの受信レベルが最も良かったとする。この場合、ユーザ端末４ａは、ビーム識別情報「ＢＭＩ２」を、図１３の矢印Ａ１１に示すように、ＤＵ３３ａおよびＦＨＭ３２を介して、ＢＢ処理装置４１にフィードバックする。
【０１２２】
同様に、ユーザ端末４ｄは、ＤＵ３３ｂから出力される、掃引されるビームを受信する。ユーザ端末４ｄは、受信したビームのうち、ビーム識別情報「ＢＭＩ７」のビームの受信レベルが最も良かったとする。この場合、ユーザ端末４ｄは、ビーム識別情報「ＢＭＩ７」を、図１３の矢印Ａ１２に示すように、ＤＵ３３ｂおよびＦＨＭ３２を介して、ＢＢ処理装置４１にフィードバックする。
【０１２３】
また、同様に、ユーザ端末４ｇは、ＤＵ３３ｃから出力される、掃引されるビームを受信する。ユーザ端末４ｇは、受信したビームのうち、ビーム識別情報「ＢＭＩｍ−２」のビームの受信レベルが最も良かったとする。この場合、ユーザ端末４ｇは、ビーム識別情報「ＢＭＩｍ−２」を、図１３の矢印Ａ１３に示すように、ＤＵ３３ｃおよびＦＨＭ３２を介して、ＢＢ処理装置４２にフィードバックする。このようにして、ユーザ端末４ａ，４ｄ，４ｇは、ビーム識別情報をＢＢ処理装置４１，４２にフィードバックする。
【０１２４】
ＢＢ処理装置４１，４２は、ＤＵ３３ａ〜３３ｃの配下に存在しているユーザ端末４ａ〜４ｈにデータを送信するとき、送信するデータに、ユーザ端末４ａ〜４ｈからフィードバックされたビーム識別情報を含める。ビーム識別情報は、図９に示したように、ＤＵ３３ａ〜３３ｃにわたって、ユニークに割り当てられているので、ＦＨＭ３２配下のＤＵ３３ａ〜３３ｃは、個別にビームフォーミング行って、データをユーザ端末４ａ〜４ｈに送信することができる。
【０１２５】
図１４は、ユーザ端末へのデータ送信例を説明する図である。図１４において、図１３と同じものには同じ符号が付してある。
【０１２６】
ＢＢ処理装置４１は、ユーザ端末４ａ，４ｄにデータ（ＤＬ信号）を送信する場合、ユーザ端末４ａ，４ｄからフィードバックされたビーム識別情報をデータのヘッダに含め、ＦＨＭ３２に送信する。
【０１２７】
例えば、ユーザ端末４ａからＢＢ処理装置４１にフィードバックされたビーム識別情報を「ＢＭＩ２」とする。ユーザ端末４ｄからＢＢ処理装置４１にフィードバックされたビーム識別情報を「ＢＭＩ７」とする。この場合、ＢＢ処理装置４１は、ユーザ端末４ａに送信するデータのヘッダにビーム識別情報「ＢＭＩ２」を含め、ＦＨＭ３２に送信する。また、ＢＢ処理装置４１は、ユーザ端末４ｄに送信するデータのヘッダにビーム識別情報「ＢＭＩ７」を含め、ＦＨＭ３２に送信する。
【０１２８】
ＦＨＭ３２に送信されたデータは、ＦＨＭ３２によってコピーされ、ＤＵ３３ａ，３３ｂに送信される。ＤＵ３３ａ，３３ｂは、ＢＢ処理装置４１から送信されたビーム情報５５ａを受信（記憶）しているので、受信したデータのヘッダに、自機に割り当てられたビーム識別情報５５ａｂが含まれていた場合、そのビーム識別情報５５ａｂに対応したビームを形成し、データをユーザ端末４ａ，４ｄに送信できる。
【０１２９】
例えば、ＤＵ３３ａは、データのヘッダに含まれるデータ識別情報「ＢＭＩ２」から、「ＢＭＩ２」に対応した方向にビームを形成することができ、データをユーザ端末４ａに送信できる。また、ＤＵ３３ｂは、データのヘッダに含まれるデータ識別情報「ＢＭＩ７」から、「ＢＭＩ７」に対応した方向にビームを形成することができ、データをユーザ端末４ｂに送信できる。
【０１３０】
同様に、ＤＵ３３ｃも、データのヘッダに含まれるデータ識別情報「ＢＭＩｍ−２」から、「ＢＭＩｍ−２」に対応した方向にビームを形成することができ、データをユーザ端末４ｂに送信できる。このように、ＤＵ３３ａ〜３３ｃは、ＤＵ識別情報５５ａａと対応付けられたユニークなビーム識別情報５５ａｂによって、個別にビームの方向を制御することができる。
【０１３１】
上記したように、ＢＢ処理装置４１，４２は、ビーム情報５５ａを記憶した記憶部５５を有しており、ユーザ端末４ａ〜４ｈがどのＤＵ３３ａ〜３３ｃに在圏しているか判定することができる。そして、ＢＢ処理装置４１，４２は、ユーザ端末４ａ〜４ｈごとのＤＬのデータバッファを有しており、ユーザ端末４ａ〜４ｈごとのトラフィック量を取得できる。これから、ＢＢ処理装置４１，４２は、ＤＵ３３ａ〜３３ｃごとのトラフィック量を計測できる。
【０１３２】
図１５は、ＤＵ３ａ〜３ｃごとのトラフィック量の計測を説明する図である。図１５において、図７と同じものには同じ符号が付してある。なお、図１５には、ユーザ端末ＵＥ１〜ＵＥ８が示してある。ユーザ端末ＵＥ１〜ＵＥ８は、図１５に示すＢＭＩのビームによって、ＤＵ３３ａ〜３３ｃと無線通信を行っている。
【０１３３】
ユーザ端末ＵＥ１〜ＵＥ６は、ＢＢ処理装置４１が形成するセルＣ１に在圏している。ユーザ端末ＵＥ１〜ＵＥ４は、ＤＵ３３ａに在圏し、ユーザ端末ＵＥ５，ＵＥ６は、ＤＵ３３ｂに在圏している。
【０１３４】
ユーザ端末ＵＥ７，ＵＥ８は、ＢＢ処理装置４２が形成するセルＣ２に在圏している。ユーザ端末ＵＥ７，ＵＥ８は、ＤＵ３３ｃに在圏している。
【０１３５】
図１５に示すデータバッファｂｕｆｆ１〜ｂｕｆｆ６は、ＢＢ処理装置４１が有するデータバッファを示している。データバッファｂｕｆｆ１〜ｂｕｆｆ６のそれぞれには、ユーザ端末ＵＥ１〜ＵＥ６に送信されるＤＬ信号が一時的に記憶される。データバッファｂｕｆｆ１〜ｂｕｆｆ６に一時的に記憶されるデータ量は、ユーザ端末ＵＥ１〜ＵＥ６のトラフィック量に相当する。なお、データバッファｂｕｆｆ１〜ｂｕｆｆ６に示す斜線は、データバッファｂｕｆｆ１〜ｂｕｆｆ６に一時的に記憶されているＤＬ信号を示している。
【０１３６】
また、図１５に示すデータバッファｂｕｆｆ１１，ｂｕｆｆ１２は、ＢＢ処理装置４２が有するデータバッファを示している。データバッファｂｕｆｆ１１，ｂｕｆｆ１２のそれぞれには、ユーザ端末ＵＥ７，ＵＥ８に送信されるＤＬ信号が一時的に記憶される。データバッファｂｕｆｆ１１，ｂｕｆｆ１２に一時的に記憶されるデータ量は、ユーザ端末ＵＥ７，ＵＥ８のトラフィック量に相当する。なお、データバッファｂｕｆｆ１１，ｂｕｆｆ１２に示す斜線は、データバッファｂｕｆｆ１１，ｂｕｆｆ１２に一時的に記憶されているＤＬ信号を示している。
【０１３７】
ＢＢ処理装置４１の計測部５６は、データバッファｂｕｆｆ１〜ｂｕｆｆ６を参照して、ユーザ端末ＵＥ１〜ＵＥ６のＤＬ信号のトラフィック量を計測する。
【０１３８】
例えば、図１５のデータバッファｂｕｆｆ１〜ｂｕｆｆ６に示す「ｄ１〜ｄ６」は、ユーザ端末ＵＥ１〜ＵＥ６のトラフィック量を示している。この場合、計測部５６は、ユーザ端末ＵＥ１のトラフィック量として「ｄ１」を計測する。計測部５６は、ユーザ端末ＵＥ２のトラフィック量として「ｄ２」を計測する。以下、同様にして、計測部５６は、ユーザ端末ＵＥ３〜ＵＥ６のトラフィック量として「ｄ３」、「ｄ４」、「ｄ５」、「ｄ６」を計測する。ＢＢ処理装置４２の計測部も、計測部５６と同様にして、ユーザ端末ＵＥ７，ＵＥ８のトラフィック量「ｄ７」、「ｄ８」を計測する。
【０１３９】
ＢＢ処理装置４１は、図９で説明したように、ビーム情報５５ａを記憶した記憶部５５を有している。従って、ＢＢ処理装置４１は、ユーザ端末ＵＥ１〜ＵＥ６のＢＭＩを用いて記憶部５５を参照することにより、ユーザ端末ＵＥ１〜ＵＥ６がどのＤＵ３３ａ，ＤＵ３３ｂに在圏しているかを判定することができる。なお、ユーザ端末ＵＥ１〜ＵＥ６のＢＭＩは、図１３で説明したように、ＢＢ処理装置４１にフィードバックされており、ＢＢ処理装置４１は、ユーザ端末ＵＥ１〜ＵＥ６のＢＭＩを判定することができる。
【０１４０】
例えば、計測部５６は、「ＢＭＩ１」のユーザ端末ＵＥ１はＤＵ識別情報「ＤＵ＃１」のＤＵ３３ａに在圏していると判定できる。また、例えば、計測部５６は、「ＢＭＩ６」のユーザ端末ＵＥ６はＤＵ識別情報「ＤＵ＃２」のＤＵ３３ｂに在圏していると判定できる。
【０１４１】
このように、計測部５６は、ユーザ端末ＵＥ１〜ＵＥ６のトラフィック量を計測し、かつ、トラフィック量を計測したユーザ端末ＵＥ１〜ＵＥ６が、どのＤＵ３３ａ，３３ｂに在圏しているかを判定できる。これにより、計測部５６は、ＤＵ３３ａ，ＤＵ３３ｂごとのトラフィック量を算出できる。
【０１４２】
例えば、ユーザ端末ＵＥ１〜４は、ＤＵ３３ａに在圏している。従って、計測部５６は、ユーザ端末ＵＥ１〜ＵＥ４のトラフィック量「ｄ１」、「ｄ２」、「ｄ３」、「ｄ４」を加算することにより、ＤＵ３３ａのトラフィック量「ＤＵ＃１＿ｄ＝ｄ１＋ｄ２＋ｄ３＋ｄ４」を算出できる。また、計測部５６は、ユーザ端末ＵＥ５，ＵＥ６のトラフィック量「ｄ５」、「ｄ６」を加算することにより、ＤＵ３３ｂのトラフィック量「ＤＵ＃２＿ｄ＝ｄ５＋ｄ６」を算出できる。
【０１４３】
ＢＢ処理装置４２の計測部も同様に、ＤＵごとのトラフィック量を計測できる（図１５の例では、ＤＵは１台しか接続されていないが、ＤＵごとのトラフィック量を計測できる）。ＢＢ処理装置４２の計測部が計測するＤＵ３３ｃのトラフィック量は「ＤＵ＃ｎ＿ｄ＝ｄ７＋ｄ８」となる。以上のようにして、ＢＢ処理装置４１の計測部５６と、ＢＢ処理装置の計測部は、ＤＵ３３ａ〜３３ｃごとのトラフィック量を計測する。
【０１４４】
図１０のスイッチ６２ｂの切替え例について説明する。ＢＢ処理装置４１，４２の計測部によって計測されたＤＵ３３ａ〜３３ｃごとのトラフィック量は、ＦＨＭ３２に送信される。ＦＨＭ３２の受信部６１は、ＢＢ処理装置４１，４２から送信されたＤＵ３３ａ〜３３ｃごとのトラフィック量を受信する。
【０１４５】
制御部６２ａは、受信部６１によって受信されたＤＵ３３ａ〜３３ｃごとのトラフィック量に基づいて、ＢＢ処理装置４１，４２のトラフィック量を平準化するように、スイッチ６２ｂを切替える。
【０１４６】
例えば、ＢＢ処理装置４１に接続されているＤＵ３３ａのトラフィック量「ＤＵ＃１＿ｄ」が閾値を超えたとする。この場合、制御部６２ａは、ＢＢ処理装置４１に接続されている他のＤＵ３３ｂを、ＢＢ処理装置４２に接続するようにスイッチ６２ｂを切替える。例えば、制御部６２ａは、図１０の端子Ｔ１１が、端子Ｔ１３に接続されるように、スイッチ６２ｂを切替える。これにより、ＢＢ処理装置４１のトラフィック量は軽減され、ＢＢ処理部４１，４２のトラフィック量は平準化される。
【０１４７】
なお、制御部６２ａが、端子Ｔ１１を端子Ｔ１３に接続すると、ＤＵ３３ｂに在圏しているユーザ端末は、掃引されたビームのＢＭＩをＢＢ処理装置４２にフィードバックすることになる。これにより、ＢＢ処理装置４２は、記憶部に記憶しているビーム情報５５により、ユーザ端末がどのＤＵ３３ｂ，３３ｃに在圏しているかを判定することができる。つまり、ＢＢ処理装置４２は、スイッチ６２ｂがスイッチを切替えても、ＤＵ３３ｂ，３３ｃごとのトラフィック量を計測できる。
【０１４８】
以上説明したように、ＦＨＭ３２の受信部６１は、ＢＢ処理装置４１，４２から無線装置ＤＵ３３ａ〜３３ｃごとのトラフィック量を受信する。制御部６２ａは、受信部６１が受信したＤＵ３３ａ〜３３ｃごとのトラフィック量に基づいて、ＤＵ３３ａ〜３３ｃのそれぞれの接続先を、ＢＢ処理装置４１，４２のいずれか１つに決定する。これにより、ＦＨＭ３２は、ＢＢ処理装置４１，４２の平準化を図るように、ＢＢ処理装置４１，４２とＤＵ３３ａ〜３３ｃとを接続することができる。
【０１４９】
［変形例１］
あるＢＢ処理装置Ｘに接続されている複数のＤＵ（例えば、３台以上とする）のうち、あるＤＵ＃Ｙのトラフィック量が閾値を超えたとする。この場合、ＦＨＭの制御部は、ＢＢ処理装置Ｘに接続されている、閾値を超えていない他のＤＵのうち、最もトラフィック量の多いＤＵを、他のＢＢ処理装置に接続するようにしてもよい。これにより、ＢＢ処理装置Ｘのトラフィック量を大幅に低減することが可能になる。
【０１５０】
［変形例２］
あるＢＢ処理装置Ｘに接続されている複数のＤＵのうち（例えば、３台以上とする）、あるＤＵ＃Ｙのトラフィック量が閾値を超えたとする。この場合、ＦＨＭの制御部は、ＢＢ処理装置Ｘ以外の他のＢＢ処理装置のうち、最もトラフィック量の少ないＢＢ処理装置に、ＢＢ処理装置Ｘに接続されているＤＵ＃Ｙの次にトラフィック量が多いＤＵ＃Ｚを接続するようにしてもよい。これにより、トラフィック量をより平準化することが可能になる。
【０１５１】
［変形例３］
ＦＨＭの制御部は、あるＢＢ処理装置Ｘの合計トラフィック量（ＢＢ処理装置Ｘに接続されている全てのＤＵのトラフィック量を合計した値）が閾値を超えた場合に、ＢＢ処理装置Ｘに接続されているＤＵを、他のＢＢ処理装置に接続するようにしてもよい。例えば、制御部は、ＢＢ処理装置Ｘに接続されている複数のＤＵの中から、最もトラフィック量の小さいＤＵを選択し、他のＢＢ処理装置に接続する。制御部は、ＢＢ処理装置Ｘのトラフィック量が閾値以下となるまで、最もトラフィック量の小さいＤＵの選択を繰り返し、ＢＢ処理装置４２に接続する。
【０１５２】
［変形例４］
上記では、ＤＬについて説明したが、制御部は、ＵＬ信号に基づいて、ＢＢ処理装置とＤＵとの接続を切替えてもよい。例えば、ＢＢ処理装置は、ユーザ端末から送信されるBuffer Status Reportに基づいて、ユーザ端末ごとの残りのデータ量（トラフィック量に相当）を算出する。ＢＢ処理装置は、ＤＬの場合と同様に、ユーザ端末のＵＬのトラフィック量と、ユーザ端末に割り当てられたＢＭＩとに基づいて、ＤＵごとのトラフィック量を算出する。
【０１５３】
［変形例５］
制御部は、ＤＬとＵＬのトラフィック量に基づいて、ＢＢ処理装置とＤＵとの接続を切替えてもよい。例えば、ＤＬのトラフィック量とＵＬのトラフィック量とを加算したトラフィック量から、ＢＢ処理装置とＤＵとの接続を切替えてもよい。その際、制御部は、ＤＬのトラフィック量とＵＬのトラフィック量とに重み付を付加してもよい。
【０１５４】
例えば、制御部は、ＤＵごとにおいて、「ＤＬトラフィック量×係数Ａ１＋ＵＬトラフィック量×係数Ａ２」を算出し、ＢＢ処理装置とＤＵとの接続を切替えてもよい。ＤＬのトラフィック量に重点を置いてＢＢ処理装置とＤＵとの接続を切替えたい場合、「係数Ａ１＞係数Ａ２」とする。逆にＵＬのトラフィック量に重点を置いてＢＢ処理装置とＤＵとの接続を切替えたい場合、「係数Ａ１＜係数Ａ２」とする。
【０１５５】
［変形例６］
上記では、ＢＢ処理装置がトラフィック量を計測したが、ＦＨＭ（例えば、ＦＨＭが備える計測部）がＤＵごとのトラフィック量を計測してもよい。例えば、図１１で説明したように、ビーム情報は、ＢＢ処理装置から、ＦＨＭを経由してＤＵに送信されるので、ＦＨＭは、例えば、図９に示したビーム情報５５ａを受信して記憶部に記憶することができる。また、ＦＨＭは、ＢＢ処理装置から、ユーザ端末ごとのデータバッファの情報（ユーザ端末ごとのトラフィック量）を受信する。また、ＦＨＭは、ＢＢ処理装置から、ユーザ端末がフィードバックしたＢＭＩを受信する。
【０１５６】
ＦＨＭは、ＢＢ処理装置から受信したユーザ端末のＢＭＩに基づいて、記憶部に記憶したビーム情報を参照し、ユーザ端末がどのＤＵに在圏しているか判断できる。これにより、ＦＨＭは、ＤＵごとに、ＤＵに在圏しているユーザ端末のトラフィック量を加算することにより、ＤＵごとのトラフィック量を計測できる。
【０１５７】
［変形例７］
ＤＵごとのトラフィック量を計測したＢＢ処理装置またはＦＨＭは、実施の形態１で説明した受付装置５に計測したトラフィック量を送信してもよい。受付装置５は、例えば、受信したトラフィック量をディスプレイに表示する。これにより、オペレータは、ディスプレイに表示されたトラフィック量に基づいて、ＢＢ処理装置とＤＵとの間の接続を、適切に設定することが可能となる。
【０１５８】
［変形例８］
上記では、ビーム識別情報は、ＦＨＭ３２に接続されるＤＵ３３ａ〜３３ｃにわたり、ユニークであるとしたがこれに限られない。ビーム識別情報は、ＢＢ処理装置４１，４２に接続されるＤＵごとにおいて、ユニークであってもよい。
【０１５９】
例えば、図１１において、ＤＵ３３ａ，３３ｂは、ＢＢ処理装置４１に接続されている。ＤＵ３３ｃは、ＢＢ処理装置４２に接続されている。この場合、ビーム識別情報は、ＤＵ３３ａ，３３ｂにおいてユニークであり、ＤＵ３３ｃにおいてユニークであってもよい。より具体的には、ＤＵ３３ａのビーム識別情報は、「ＢＭＩ１，ＢＭＩ２，ＢＭＩ３，ＢＭＩ４」、ＤＵ３３ｂのビーム識別情報は、「ＢＭＩ５，ＢＭＩ６，ＢＭＩ７，ＢＭＩ８」、ＤＵ３３ｃのビーム識別情報は、「ＢＭＩ１，ＢＭＩ２，ＢＭＩ３，ＢＭＩ４」であってもよい。
【０１６０】
このように、ビーム識別情報を、ＢＢ処理装置４１，４２に接続されるＤＵごとにおいて、ユニークにする場合、ＢＢ処理装置４１，４２は、ＦＨＭ３２のスイッチが切り替わった後、ビーム識別情報を割り当て直す。ＢＢ処理装置４１，４２は、スイッチ切替え後に接続されたＤＵにおいて、ビーム識別情報がユニークとなるように割り当て直す。
【０１６１】
例えば、図１１において、ＦＨＭ３２のスイッチの切替えにより、ＢＢ処理装置４１にＤＵ３３ｂが接続され、ＢＢ処理装置４２にＤＵ３３ａ，３３ｃが接続されたとする。この場合、ＢＢ処理装置４１は、ＤＵ３３ｂのビーム識別情報を「ＢＭＩ１，ＢＭＩ２，ＢＭＩ３，ＢＭＩ４」に設定し直す。ＢＢ処理装置４２は、ＤＵ３３ａのビーム識別情報を「ＢＭＩ１，ＢＭＩ２，ＢＭＩ３，ＢＭＩ４」に設定し直し、ＤＵ３３ｃのビーム識別情報を「ＢＭＩ５，ＢＭＩ６，ＢＭＩ７，ＢＭＩ８」に設定し直す。
【０１６２】
なお、上記の各変形例は、組わせることもできる。
【０１６３】
［実施の形態３］
実施の形態２では、ＦＨＭは、ＤＵごとのトラフィック量に基づいて、ＢＢ処理装置とＤＵとの接続を切替えた。実施の形態３では、ＦＨＭは、ＢＢ処理装置の故障に基づいて、ＢＢ処理装置とＤＵとの接続を切替える。例えば、ＦＨＭは、あるＢＢ処理装置が故障した場合、故障したＢＢ処理装置に接続されていたＤＵを、正常なＢＢ処理装置に接続する。
【０１６４】
図１６は、実施の形態３に係るＦＨＭ７１のブロック構成例を示した図である。図１６において、図１０と同じものには同じ符号が付してある。図１６に示すように、ＦＨＭ７１は、故障検知部８１と、制御部８２ａと、スイッチ８２ｂと、を有している。ＦＨＭ７１のＩ／Ｆ部２１には、図７に示したＢＢ処理装置４１，４２が接続され、Ｉ／Ｆ部２５には、図７に示したＤＵ３３ａ〜３３ｃが接続されている。
【０１６５】
故障検知部８１は、ＢＢ処理装置４１，４２の故障を検知する。例えば、故障検知部８１は、ＢＢ処理装置４１，４２から送信されるＤＬ信号の有無を監視することによって、ＢＢ処理装置４１，４２の故障を検知する。または、故障検知部８１は、例えば、故障診断機能を有するＢＢ処理装置４１，４２から、故障診断情報を受信し、ＢＢ処理装置４１，４２の故障を検知してもよい。
【０１６６】
故障検知部８１は、ＢＢ処理装置４１，４２が故障していないときに（ＢＢ処理装置４１，４２の正常時に）、ＢＢ処理装置４１，４２に接続されているＤＵ３３ａ〜３３ｃの接続情報を、ＢＢ処理装置４１，４２に送信する。例えば、図１６に示すスイッチ８２ｂの状態では、ＢＢ処理装置４１には、ＤＵ３３ａ，３３ｂが接続され、ＢＢ処理装置４２には、ＤＵ３３ｃが接続されている。従って、故障検知部８１は、ＢＢ処理装置４１にはＤＵ３３ａ，３３ｂが接続され、ＢＢ処理装置４２にはＤＵ３３ｃが接続されていることを示す接続情報を、ＢＢ処理装置４１，４２に送信する。
【０１６７】
故障検知部８１は、ＢＢ処理装置４１，４２の故障を検知すると、ＢＢ処理装置４１，４２が故障したことを示す故障情報を、故障していないＢＢ処理装置４１，４２に送信する。例えば、ＢＢ処理装置４１が故障したとする。この場合、故障検知部８１は、ＢＢ処理装置４１が故障したことを示す故障情報を、故障していないＢＢ処理装置４２に送信する。また、故障検知部８１は、検知した故障情報を、制御部８２ａに出力する。
【０１６８】
制御部８２ａは、故障検知部８１が故障情報をＢＢ処理装置４１，４２に送信した後、スイッチ８２ｂを制御し、故障したＢＢ処理装置４１，４２に接続されていたＤＵ３３ａ〜３３ｃを、故障していないＢＢ処理装置４１，４２に接続する。例えば、図１６に示すスイッチ状態において、ＢＢ処理装置４１が故障したとする。この場合、制御部８２ａは、端子Ｔ１を端子Ｔ３に接続し、端子Ｔ１１を端子Ｔ１３に接続する。これにより、故障したＢＢ処理装置４１に接続されていたＤＵ３３ａ，３３ｂは、正常なＢＢ処理装置４２に接続される。
【０１６９】
ＦＨＭ７１の動作について説明する。
【０１７０】
図１７は、ＢＢ処理装置４１，４２の一方が故障したときの無線基地局の動作例を説明する図である。図１７には、図１６で説明したＦＨＭ７１と、ＦＨＭ７１に接続されているＢＢ処理装置４１，４２およびＤＵ３３ａ〜３３ｃとが示してある。
【０１７１】
ＦＨＭ７１のスイッチ８２ｂは、図１６に示す状態にあるとする。すなわち、ＤＵ３３ａ，３３ｂは、ＢＢ処理装置４１に接続され、ＤＵ３３ｃは、ＢＢ処理装置４２に接続されているとする。故障検知部８１は、ＢＢ処理装置４１，４２の接続情報（ＤＵ３３ａ，３３ｂはＢＢ処理装置４１に接続され、ＤＵ３３ｃはＢＢ処理装置４２に接続されていることを示す情報）を、ＢＢ処理装置４１，４２に送信しているとする。
【０１７２】
ＢＢ処理装置４１が故障したとする。この場合、故障検知部８１は、ＢＢ処理装置４１の故障を検知する（図１７のＳ１）。
【０１７３】
故障検知部８１は、ＢＢ処理装置４１の故障を検知すると、ＢＢ処理装置４１が故障したことを示す故障情報を、故障していないＢＢ処理装置４２に送信する（図１７のＳ２）。
【０１７４】
ＢＢ処理装置４２は、ＦＨＭ３２から受信した故障情報に基づいて、自身が新たに管理するＤＵを認識する。例えば、ＢＢ処理装置４２は、事前に（ＢＢ処理装置４１の故障前に）ＢＢ処理装置４１の接続情報（ＢＢ処理装置４１は、ＤＵ３３ａ，３３ｂと接続されていることを示す情報）を受信している。従って、ＢＢ処理装置４２は、ＢＢ処理装置４１が故障したことを示す故障情報を受信した場合、故障したＢＢ処理装置４１に接続されていたＤＵ３３ａ，３３ｂが、新たに接続されることを認識できる（図１７のＳ３）。これにより、ＢＢ処理装置４２は、例えば、ＤＵ３３ａ，３３ｂに在圏するユーザ端末のスケジューリングを行うことができる。
【０１７５】
ＦＨＭ７１の制御部８２ａは、故障検知部８１の故障情報に基づいて、故障したＢＢ処理装置４１に接続されていたＤＵ３３ａ，３３ｂが、ＢＢ処理装置４２に接続されるように、スイッチ８２ｂを切替える（図１７のＳ４）。これにより、ＤＵ３３ａ，３３ｂに在圏していたユーザ端末は、ＢＢ処理装置４２と無線通信を行うことができる。
【０１７６】
以上説明したように、ＦＨＭ７１は、ＢＢ処理装置４１，４２の故障を検知する故障検知部８１を備える。制御部８２ａは、故障検知部８１の故障の検知結果に基づいて、故障したＢＢ処理装置４１，４２に接続されているＤＵ３３ａ〜３３ｃを、故障していないＢＢ処理装置４１，４２に接続するよう決定する。これにより、故障したＢＢ処理装置４１，４２と通信を行っていたユーザ端末は、ＢＢ処理装置４１，４２が故障しても、別の故障していないＢＢ処理装置４１，４２と通信を行うことができる。
【０１７７】
また、ＦＨＭ７１は、簡易な構成および処理により、ＢＢ処理装置４１，４２が故障しても、無線通信を行うことができなくなるユーザ端末を救済することができる。例えば、ＢＢ処理装置４１，４２とＤＵ３３ａ〜３３ｃとを直接接続する場合、無線通信を行うことができなくなるユーザ端末を救済するには、メッシュ状に接続する必要があり、配線が複雑化する。また、ＢＢ処理装置４１，４２とＤＵ３３ａ〜３３ｃとが、ユーザ端末を救済するためのアルゴリズムを備えなければならない。これに対し、ＦＨＭ７１を備える無線基地局は、簡易な構成および処理により、無線通信を行うことができなくなるユーザ端末を救済することができる。
【０１７８】
なお、故障検知部８１は、故障情報の代りに、または故障情報とともに、故障したＢＢ処理装置４１，４２が処理（管理）していたＢＭＩを、故障していないＢＢ処理装置４１に送信してもよい。故障してないＢＢ処理装置４２は、受信したＢＭＩに基づいてビーム情報を参照することにより、新たに接続されるＤＵ３３ａ〜３３ｃを認識することができる。
【０１７９】
以上、各実施の形態について説明した。
【０１８０】
（ハードウェア構成）
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１８１】
例えば、本発明の一実施の形態における無線基地局（ＣＵ、ＦＨＭ、ＤＵ）及びユーザ端末などは、本発明の処理を行うコンピュータとして機能してもよい。図１８は、本発明の一実施の形態に係る無線基地局及びユーザ端末のハードウェア構成の一例を示す図である。上述の無線基地局及びユーザ端末は、物理的には、プロセッサ１００１、メモリ１００２、ストレージ１００３、通信装置１００４、入力装置１００５、出力装置１００６、バス１００７などを含むコンピュータ装置として構成されてもよい。
【０１８２】
なお、以下の説明では、「装置」という文言は、回路、デバイス、ユニットなどに読み替えることができる。無線基地局及びユーザ端末のハードウェア構成は、図に示した各装置を１つ又は複数含むように構成されてもよいし、一部の装置を含まずに構成されてもよい。
【０１８３】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１８４】
無線基地局及びユーザ端末における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１８５】
プロセッサ１００１は、例えば、オペレーティングシステムを動作させてコンピュータ全体を制御する。プロセッサ１００１は、周辺装置とのインタフェース、制御装置、演算装置、レジスタなどを含む中央処理装置（ＣＰＵ：Central Processing Unit）で構成されてもよい。例えば、上述のブロック例、プロセッサ１００１で実現されてもよい。
【０１８６】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局及びユーザ端末を構成する少なくとも一部の機能ブロックは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１８７】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１８８】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１８９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【０１９０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１９１】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１９２】
また、無線基地局及びユーザ端末は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１９３】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１９４】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１９５】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１９６】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１９７】
（入出力の方向）
情報及び信号等は、上位レイヤ(または下位レイヤ)から下位レイヤ(または上位レイヤ)に出力され得る。複数のネットワークノードを介して入出力されてもよい。
【０１９８】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１９９】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０２００】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０１】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０２０２】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０３】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０２０４】
（「システム」、［ネットワーク］）
本明細書で使用する「システム」および「ネットワーク」という用語は、互換的に使用される。
【０２０５】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０２０６】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０２０７】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０２０８】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０２０９】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０２１０】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２１１】
参照信号は、ＲＳ（Reference Signal）と略称することもでき、適用される標準によってパイロット（Pilot）と呼ばれてもよい。また、補正用ＲＳは、ＴＲＳ（Tracking RS）、ＰＣ−ＲＳ（Phase Compensation RS）、ＰＴＲＳ（Phase Tracking RS）、Additional RSと呼ばれてもよい。また、復調用ＲＳ及び補正用ＲＳは、それぞれに対応する別の呼び方であってもよい。また、復調用ＲＳ及び補正用ＲＳは同じ名称（例えば復調ＲＳ）で規定されてもよい。
【０２１２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１３】
上記の各装置の構成における「部」を、「手段」、「回路」、「デバイス」等に置き換えてもよい。
【０２１４】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０２１５】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０２１６】
無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。
【０２１７】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０２１８】
例えば、１サブフレームをＴＴＩと呼んでもよいし、複数の連続したサブフレームをＴＴＩと呼んでもよいし、１スロットをＴＴＩと呼んでもよい。
【０２１９】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０２２０】
上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０２２１】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０２２２】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０２２３】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０２２４】
本発明の一態様は、移動通信システムに有用である。
【符号の説明】
【０２２５】
１，３１  ＣＵ
２，３２，７１  ＦＨＭ
３ａ〜３ｃ，３３ａ〜３３ｃ  ＤＵ
４ａ〜４ｈ  ユーザ端末
５  受付装置
６  ネットワーク
１１，１２，４１，４２  ＢＢ処理装置
２１，２５，５１，５３  Ｉ／Ｆ部
２２ａ，２２ｂ  コピー／合成部
２３ａ，６２ａ，８２ａ  制御部
２３ｂ，６２ｂ，８２ｂ  スイッチ
２４，６１  受信部
５２  ＢＢ処理部
５４  制御部
５５  記憶部
５５ａ〜５５ｄ  ビーム情報
５５ａａ  ＤＵ識別情報
５５ａｂ  ビーム識別情報
５６  計測部
８１  故障検知部
Ｃ１，Ｃ２  セル
【図１】
2019029842.tif 000003
【図２】
2019029842.tif 000004
【図３】
2019029842.tif 000005
【図４】
2019029842.tif 000006
【図５】
2019029842.tif 000007
【図６】
2019029842.tif 000008
【図７】
2019029842.tif 000009
【図８】
2019029842.tif 000010
【図９】
2019029842.tif 000011
【図１０】
2019029842.tif 000012
【図１１】
2019029842.tif 000013
【図１２】
2019029842.tif 000014
【図１３】
2019029842.tif 000015
【図１４】
2019029842.tif 000016
【図１５】
2019029842.tif 000017
【図１６】
2019029842.tif 000018
【図１７】
2019029842.tif 000019
【図１８】
2019029842.tif 000020